(57)【要約】【課題】  ３種類のジャックの回路基板に挿入される面に形成された突起の配置を異なったものとすることで、誤挿入を防止する。【解決手段】  図１のジャック群の構成は、左から、映像信号用ジャック１、左音声信号用ジャック２、右音声信号用ジャック３である。ジャック固定突起２１、２２，２３は、各ジャックの、回路基板への取り付け面に形成された突起である。各ジャック固定突起２１、２２、２３の配置は、ジャック毎に異なっており、各ジャックに対応する回路基板の取り付け箇所にのみ挿入可能となっている。即ち、間違った取り付け箇所へのジャックの挿入を物理的に不可能にし、誤挿入を防止することができる。【選択図】  図１
2007026974.tif 000002
【特許請求の範囲】
【請求項１】
回路基板にそれぞれ共通するハウジングを備えたジャック群を揃えて相互に隣接させて組み付けるとともに、各ジャックと前記回路基板とを凹凸嵌合して各ジャックを位置決めするジャックを備えた回路基板であって、前記各ジャックのハウジングにそれぞれ位置決め用の突起を複数形成し、前記回路基板には前記突起と嵌合する挿入孔を設け、この回路基板に挿入される前記突起の配置が各ジャック毎に異なることを特徴とするジャックを備えた回路基板。
【請求項２】
前記回路基板には、３種類の信号を別個のケーブルで伝送するジャック群が同一方向に向けて並べて取り付けられ、このジャック群が前記回路基板に組み付けられた際に正面方向から見て左側に取り付けられる第１のジャックと、中央に取り付けられる第２のジャックと、右側に取り付けられる第３のジャックで構成され、その第１〜第３のジャックにそれぞれ左右一対の突起を形成するとともに、中央の第２のジャックの突起は、垂線に対して線対称であり、その第２のジャックの両側に配置される第１及び第３のジャックに形成される突起は、垂線に対して左右非対称に形成されていることを特徴とする請求項１記載のジャックを備えた回路基板。
【請求項３】
前記第２のジャックの両側に配置される第１及び第３のジャックに形成される突起は、その内側に配置される突起が外側に偏移して設けられていることを特徴とする請求項２記載のジャックを備えた回路基板。
【発明の詳細な説明】
【技術分野】
【０００１】
本発明は、電子機器に３本のケーブルを接続して、それぞれ異なる信号を伝送する際に、これらのケーブルを接続するためのジャックを備えた回路基板に関するものであり、特に、オーディオ・ビジュアル機器における、映像信号、左音声信号及び右音声信号を別個に伝送する３本のケーブルを接続するためのジャックを備えた回路基板に関するものである。
【背景技術】
【０００２】
オーディオ・ビジュアル機器において、映像信号、左音声信号及び右音声信号の３種類の信号を別個のケーブルで伝送する場合に多く使用されているジャックに、ピンジャックがある。このジャックの外形形状は、伝送する信号の種類によらず同一であり、ジャックに付された色によって信号の種類は識別され、また、その並び順も決まっている。図５は、テレビジョン受像機を前面より見たものである。上述の３種類のジャックは、左から順に、映像信号用ジャック１、左音声信号用ジャック２、右音声信号用ジャック３であり、それぞれ、黄色、白色、赤色を付される。
【０００３】
このような３種類のジャックを備えるオーディオ・ビジュアル機器の製造過程においては、図６に示すように、回路基板４の上に、左から順に、映像信号用ジャック１（黄色）、左音声信号用ジャック２（白色）、右音声信号用ジャック３（赤色）というように、順を間違えずに取り付けなければならないことになる。
【０００４】
しかし、図３及び図４に示すように、従来の３種類のジャックは、ハウジングの外形形状が等しく、また、これらを取り付ける回路基板４に設けられた挿入孔の配置も全て等しくなっているため、回路基板４上の間違った取り付け箇所にジャックを取り付けてしまう可能性があった。
【０００５】
特許文献１では、信号の種類の識別のために付された色を示す文字（例えば、右音声信号用ジャックの場合は、「アカ」や「ＲＥＤ」）を、回路基板４の取り付け箇所の近傍にシルク印刷することで、ジャックの誤挿入を防止する技術が開示されている。
【０００６】
【特許文献１】特開平１０−６５２９０号公報
【発明の開示】
【発明が解決しようとする課題】
【０００７】
しかし、特許文献１の技術を用いたとしても、３種類のジャックのハウジングの外形形状は等しく、また、これらを取り付ける回路基板４に設けられた挿入孔の配置も全て等しくなっているため、間違った取り付け箇所への挿入は容易であり、誤挿入の可能性は依然として残っていた。
【０００８】
本発明は、上述の問題点に鑑みてなされたものであり、３種類のジャックの回路基板に挿入される面に形成された突起の配置を異なったものとすることで、間違った取り付け箇所へのジャックの挿入を物理的に不可能にし、誤挿入を防止することを目的とする。
【課題を解決するための手段】
【０００９】
請求項１に記載のジャックを備えた回路基板は、回路基板にそれぞれ共通するハウジングを備えたジャック群を揃えて相互に隣接させて組み付けるとともに、各ジャックと前記回路基板とを凹凸嵌合して各ジャックを位置決めするジャックを備えた回路基板であって、前記各ジャックのハウジングにそれぞれ位置決め用の突起を複数形成し、前記回路基板には前記突起と嵌合する挿入孔を設け、この回路基板に挿入される前記突起の配置が各ジャック毎に異なることを特徴とする。
【００１０】
請求項１に記載のジャックを備えた回路基板によれば、間違った取り付け箇所へのジャックの挿入を物理的に不可能にし、誤挿入を防止することができる。
【００１１】
請求項２に記載のジャックを備えた回路基板は、請求項１において、前記回路基板には、３種類の信号を別個のケーブルで伝送するジャック群が同一方向に向けて並べて取り付けられ、このジャック群が前記回路基板に組み付けられた際に正面方向から見て左側に取り付けられる第１のジャックと、中央に取り付けられる第２のジャックと、右側に取り付けられる第３のジャックで構成され、その第１〜第３のジャックにそれぞれ左右一対の突起を形成するとともに、中央の第２のジャックの突起は、垂線に対して線対称であり、その第２のジャックの両側に配置される第１及び第３のジャックに形成される突起は、垂線に対して左右非対称に形成されていることを特徴とする。
【００１２】
請求項２に記載のジャックを備えた回路基板によれば、間違った取り付け箇所へのジャックの挿入を物理的に不可能にし、誤挿入を防止することができる。また、各ジャックの突起の配置を確認することで、ジャックの並びのうちのどの箇所（中央／中央以外）になるかを容易に把握することができる。
【００１３】
請求項３に記載のジャックを備えた回路基板は、請求項２において、前記第２のジャックの両側に配置される第１及び第３のジャックに形成される突起は、その内側に配置される突起が外側に偏移して設けられていることを特徴とする。
【００１４】
請求項３に記載のジャックを備えた回路基板によれば、間違った取り付け箇所へのジャックの挿入を物理的に不可能にし、誤挿入を防止することができる。また、各ジャックの突起の配置を確認することで、ジャックの並びのうちのどの箇所（左側／中央／右側）になるかを容易に把握することができる。
【発明の効果】
【００１５】
本発明によれば、３種類のジャックの回路基板に挿入される面に形成された突起の配置を異なったものとすることで、間違った取り付け箇所へのジャックの挿入を物理的に不可能にし、誤挿入を防止することができる。
【発明を実施するための最良の形態】
【００１６】
本発明の実施の形態を、図面を参照して説明する。なお、以下の実施例は本発明の具体例の１つに過ぎず、本発明が以下の実施形態に限定されるものではない。
【実施例】
【００１７】
本発明による一実施例が採用されたジャック群を図１に、これらジャック群が取り付けられる回路基板４を図２に示す。
【００１８】
図１のジャック群は、左から、映像信号用ジャック１、左音声信号用ジャック２、右音声信号用ジャック３である。ケーブル接続端子１１及び回路基板接続端子１２は、導電性の素材（例えば、導電性のある金属）で作られており、伝送される信号（電気信号）が通る。ハウジング１３は、絶縁体で作られており、ジャックの外側を覆っている。ジャック固定突起２１、２２，２３は、各ジャックの、回路基板４への取り付け面に形成された突起である。
【００１９】
図２に示す回路基板４には、回路基板接続端子挿入孔１４、及びジャック固定突起挿入孔３１、３２、３３が設けられている。回路基板接続端子挿入孔１４には、回路基板接続端子１２が挿入され、回路基板４でハンダ付けされる。ジャック固定突起挿入孔３１、３２、３３には、ジャック固定突起２１、２２，２３が挿入され、ジャック１、２、３が回路基板４に固定される。
【００２０】
図１及び図２から分かるように、各ジャック固定突起２１、２２、２３の配置は、ジャック毎に異なっており、各ジャックに対応する回路基板４の箇所にのみ挿入可能となっている。
【００２１】
また、各ジャック１、２、３に形成されたジャック固定突起２１、２２、２３の配置から、ジャックの並びにおける位置を容易に把握できる。即ち、突起の配置が線対称になっていれば、中央に配置すべきジャック（左音声信号用ジャック２）であることがわかり、これを基準にして、図１における向きで右側のジャック固定突起２１ｂがずれている場合は左側に配置すべきジャック（映像信号用ジャック１）であることが分かり、左側のジャック固定突起２３ａがずれている場合は右側に配置すべきジャック（右音声信号用ジャック３）であることが分かる。
【００２２】
以上述べたように、本発明では、３種類のジャックの回路基板に挿入される面に形成された突起の配置を異なったものとすることで、間違った取り付け箇所へのジャックの挿入を物理的に不可能にし、誤挿入を防止することができる。
【図面の簡単な説明】
【００２３】
【図１】実施例のジャック群を示す図である。
【図２】実施例の回路基板を示す図である。
【図３】従来のジャック群を示す図である。
【図４】従来の回路基板を示す図である。
【図５】テレビジョン受像機を前面から見た図である。
【図６】ジャック群が挿入された回路基板を示す斜視図である。
【符号の説明】
【００２４】
１  映像信号用ジャック
２  左音声信号用ジャック
３  右音声信号用ジャック
４  回路基板
１１  ケーブル接続端子
１２  回路基板接続端子
１３  ハウジング
１４  回路基板接続端子挿入孔
２０、２１、２２、２３  ジャック固定突起
３０、３１、３２、３３  ジャック固定突起挿入孔
【図１】
2007026974.tif 000003
【図２】
2007026974.tif 000004
【図３】
2007026974.tif 000005
【図４】
2007026974.tif 000006
【図５】
2007026974.tif 000007
【図６】
2007026974.tif 000008